(57)【特許請求の範囲】
【請求項１】
制御ボタンを有するが、キーボートまたはキーパッドを有さないデジタルカメラに動作可能に係合するメモリカードを使用して、デジタルデータを変換する方法であって、
前記メモリカードは、中央プロセッサと、変換モジュールと、記憶モジュールとを備え、
前記記憶モジュールは、複数のファイルとして、前記デジタルカメラにより取り込まれた前記デジタルデータを記憶するためのものであり、
前記方法は、
前記デジタルカメラを予め定められているモードにすることと、
前記メモリカードから前記デジタルカメラに第１のインデックス画像ファイルを送ることと、
を含み、
前記第１のインデックス画像ファイルは、複数の画像を提示することによって第１のメニューを提供し、
前記複数の画像の各々は、ユーザによって選択される第1のメニューアイテムを表しており、
前記複数の画像の各々は、前記第１のインデックス画像ファイル内の別個の画像であり、
前記制御ボタンを使って、前記第１のメニューアイテムのうちの１つの第１のメニューアイテムを選択すると、前記メモリカード中の変換モジュールをアクティブ化し、
前記変換モジュールは、前記複数のファイルのうちの少なくとも1つのファイルの選択と変換とを可能にする、方法。
【請求項２】
前記変換は、
画像からテキストへ、
１つのフォーマットから別のフォーマットへ、
ｊｐｇからｐｄｆへ、
ｐｄｆからｊｐｇへ、
１つの解像度の画像から別の解像度の画像へ、
高解像度画像から標準鮮明度のＶＧＡ解像度へ、
セキュリティのための画像からテキストへ、
認証のための画像からテキストへ、の変換からなるグループから選択される請求項１記載の方法。
【請求項３】
前記メモリカードは、前記デジタルカメラ中に物理的におよび動作可能に係合し、前記デジタルカメラの内蔵プロセッサに動作可能に接続するように構成され、
前記動作可能な接続は、通常のメモリカードと同じ方法であり、
前記内蔵プロセッサは、前記メモリカードを通常のメモリカードとして見る請求項１または２記載の方法。
【請求項４】
前記デジタルデータは、画像データ、オーディオデータ、画像およびオーディオデータ、ビデオデータ、ならびに、オーディオおよびビデオデータ、からなるグループから選択される請求項１ないし３のいずれか１項記載の方法。
【請求項５】
前記デジタルカメラの前記制御ボタンは、前記デジタルカメラが予め規定されているモードであるときのみ、前記中央プロセッサを制御するために使用することが可能である請求項１ないし４のいずれか１項記載の方法。
【請求項６】
前記第１のインデックス画像ファイルは、前記デジタルカメラのスクリーン上に表示される請求項１ないし５のいずれか１項記載の方法。
【請求項７】
前記制御ボタンが、前記第１のメニューアイテムのうちの１つの第１のメニューアイテムを選択するために使用されるとき、前記内蔵プロセッサは、前記中央プロセッサに命令を送り、
前記命令は、選択された第１のメニューアイテムの識別子を含む請求項１ないし６のいずれか１項記載の方法。
【請求項８】
前記中央プロセッサは、前記命令を“選択”として扱う請求項７記載の方法。
【請求項９】
前記命令は、“削除”である請求項８記載の方法。
【請求項１０】
前記変換モジュールは、前記メモリカードから前記デジタルカメラに第２のインデックス画像ファイルを送ることによって、前記複数のファイルのうちの少なくとも１つのファイルの選択と変換とを可能にし、
前記第２のインデックス画像ファイルは、第２のメニューリストを含み、
前記第２のメニューリストのメンバーが選択されると、関連する変換がアクティブ化されて、変換されることになる前記複数のファイルのうちの少なくとも１つのファイルを決定するさらなる問い合わせが発生され、
前記複数のファイルのうちの前記少なくとも１つのファイルが選択されると、前記複数のファイルのうちの前記選択された少なくとも１つのファイルが、抽出および変換される請求項１ないし９のいずれか１項記載の方法。
【請求項１１】
前記第２のメニューリストの各メンバーは、別個の画像であり、それ自体の識別子を有する請求項１０記載の方法。
【請求項１２】
前記第２のメニューリストは、
画像からテキストへ、
１つのフォーマットから別のフォーマットへ、
ｊｐｇからｐｄｆへ、
ｐｄｆからｊｐｇへ、
１つの解像度の画像から別の解像度の画像へ、
高解像度画像から標準鮮明度のＶＧＡ解像度へ、
セキュリティのための画像からテキストへ、
認証のための画像からテキストへ、の変換を含む請求項１０または１１記載の方法。
【請求項１３】
前記デジタルデータは、適切な筆記面に書かれている少なくとも１つのアイテムの画像を含み、
前記メモリカードは、前記画像データをテキストに変換し、
前記テキストは、前記デジタルカメラと前記メモリカードとのうちの少なくとも一方の、認証とセキュリティとのうちの少なくとも一方のために、処理されて、予めロードされて記憶されている少なくとも１つのアイテムと比較される請求項１ないし１２のいずれか１項記載の方法。
【請求項１４】
前記動作可能な係合は、直接的または間接的である請求項１ないし１３のいずれか１項記載の方法。
【請求項１５】
前記動作可能な係合は、間接的であり、
前記メモリカードは、メモリカードユニットと、前記メモリカードユニットをそこで受け取るように構成されているアダプタとを備え、
前記アダプタは、前記デジタルカメラに動作可能に係合するようにさらに構成されている請求項１４記載の方法。
【請求項１６】
前記アダプタは、少なくとも１つの機能コンポーネントと、前記メモリカードの機能性とを備える請求項１５記載の方法。
【請求項１７】
前記少なくとも１つの機能コンポーネントは、前記中央プロセッサとワイヤレストランシーバモジュールとのうちの少なくとも一方を備える請求項１６記載の方法。
【請求項１８】
制御ボタンを有するが、キーボートまたはキーパッドを有さないデジタルカメラに動作可能に係合するときに、デジタルデータを変換するメモリカードであって、
前記メモリカードは、中央プロセッサと、変換モジュールと、記憶モジュールとを具備し、
前記記憶モジュールは、複数のファイルとして、前記デジタルカメラにより取り込まれた前記デジタルデータを記憶するためのものであり、
前記デジタルカメラが予め定められているモードであるときに、前記メモリカードは第１のインデックス画像ファイルを前記デジタルカメラに送るように構成されており、
前記第１のインデックス画像ファイルは、複数の画像を提示することによって第１のメニューを提供し、
前記複数の画像の各々は、ユーザによって選択される第1のメニューアイテムを表しており、
前記複数の画像の各々は、前記第１のインデックス画像ファイル内の別個の画像であり、
前記制御ボタンを使って、前記第１のメニューアイテムのうちの１つの第１のメニューアイテムを選択すると、前記変換モジュールをアクティブ化し、
前記変換モジュールは、前記複数のファイルのうちの少なくとも１つのファイルの選択と変換とを可能にする、メモリカード。
【請求項１９】
前記メモリカードは、メモリカードユニットと、前記メモリカードユニットをそこで受け取るように構成されているアダプタとをさらに具備し、
前記アダプタは、前記デジタルカメラに動作可能に係合するようにさらに構成されている請求項１８記載のメモリカード。
【請求項２０】
前記アダプタは、少なくとも１つの機能コンポーネントと、前記メモリカードの機能性とを備える請求項１９記載のメモリカード。
【請求項２１】
前記少なくとも１つの機能コンポーネントは、前記中央プロセッサとワイヤレストランシーバモジュールとのうちの少なくとも一方を備える請求項２０記載のメモリカード。
【発明の詳細な説明】
【関連出願に対する参照】
【０００１】
我々の先の国際特許出願である、“ワイヤレスデジタルコンテンツ管理のための方法および装置カード”と題する発明に向けて、２００８年９月４日に出願されたＰＣＴ／ＳＧ２００８／０００３２７と、“ワイヤレスデジタルコンテンツ管理のための方法およびメモリカード”と題する発明に向けて、２００９年８月１２日に出願されたＰＣＴ／ＳＧ２００９／０００２７９と、“データの記憶およびワイヤレストランシービングのためのメモリカードおよび方法”と題する発明に向けて、２００９年１２月１日に出願されたＰＣＴ／ＳＧ２００９／０００４６１（我々の先の出願）とに対して、参照が行われ、これらの内容は、これらのすべてがここに開示されているかのように、参照によりここに組み込まれている。
【技術分野】
【０００２】
本発明は、例えば、メモリカードのようなメモリデバイスを使用して、デジタルデータを変換または変形する方法に関し、排他的ではないが、キーボードもしくはキーパッドを有さない装置にメモリデバイスが動作可能に係合するときに使用することが可能なこのような方法に特に関連する。
【定義】
【０００３】
本明細書全体を通して、デジタルカメラへの参照は、デジタルカメラ、デジタルビデオカメラ、デジタル音声レコーダ、またはデジタルダイアリーへの参照を含むものとして考えられるべきである。
【０００４】
本明細書全体を通して、デジタルデータの変換への参照は、デジタルデータの変形を含むものとして考えられるべきである。
【０００５】
本明細書全体を通して、メモリカードへの参照は、フラッシュ（登録商標）メモリを使用し、デジタルカメラが使用中であるときを含め、デジタルカメラに動作可能に接続するように構成されているすべてのポータブルメモリデバイスを含むものとして考えられるべきである。接続は、直接接続または間接接続である。間接接続は、これには限定されないが、アダプタの使用を含んでもよい。アダプタは、少なくとも１つの機能コンポーネント、および／または、メモリカードの機能性を含んでもよい。
【背景】
【０００６】
キーパッドまたはキーボードの欠落により、通常、デジタルカメラに対して、バイオメトリックセキュリティシステム以外に、利用可能な認証またはセキュリティは存在しない。これは、不都合である。
【０００７】
また、デジタルカメラに記憶されているファイルは、例えば、ＹｏｕＴｕｂｅ（登録商標）のようなウェブサイトにアップロードされることが多い。高解像度カメラでは、これは、このようなウェブサイトにより必要とされる、相対的に低い解像度のために、適していない。これには、通常、アップローディングを実行するコンピュータの使用を必要とする。これは、不都合である。移動体／セルラ電話機もまた、それらがＭＭＳまたは他のプロトコルにより取り込んだ画像を送るために使用される。これには、高解像度および使用するフォーマットのために、相当な時間を費やす。これは、不都合である。
【概要】
【０００８】
第１の例示的な態様にしたがうと、制御ボタンを有するが、キーボートまたはキーパッドを有さない装置に動作可能に係合するメモリカードを使用して、デジタルデータを変換する方法が提供されている。メモリカードは、中央プロセッサと、変換モジュールと、記憶モジュールとを備え、記憶モジュールは、複数のファイルとして、装置により取り込まれたデジタルデータを記憶するためのものであり、方法は、装置を予め定められているモードにすることと、メモリカード中の変換モジュールをアクティブ化することと、記憶モジュール中に記憶されている複数のファイルを選択的に変換することとを含む。
【０００９】
別の態様にしたがうと、制御ボタンを有するが、キーボートまたはキーパッドを有さない装置に動作可能に係合するときに、デジタルデータを変換するメモリカードが提供されている。メモリカードは、中央プロセッサと、変換モジュールと、記憶モジュールとを具備し、記憶モジュールは、複数のファイルとして、装置により取り込まれたデジタルデータを記憶するためのものである。変換モジュールは、装置が予め定められているモードであるときに、記憶モジュール中に記憶されている複数のファイルを選択的に変換するように構成されている。
【００１０】
メモリカードは、メモリカードユニットと、メモリカードユニットをそこで受け取るように構成されているアダプタとをさらに備える。アダプタは、装置に動作可能に係合するようにさらに構成されている。アダプタは、少なくとも１つの機能コンポーネントと、メモリカードの機能性とを備える。少なくとも１つの機能コンポーネントは、中央プロセッサとワイヤレストランシーバモジュールとのうちの少なくとも１つを備える。
装置は、デジタルカメラである。変換は、画像からテキスト、１つのフォーマットから別のフォーマット、ｊｐｇからｐｄｆ、ｐｄｆからｊｐｇ、１つの解像度から別の解像度への画像、高解像度画像から標準鮮明度のＶＧＡ解像度、セキュリティのための画像からテキスト、および、認証のための画像からテキストであってもよい。
【００１１】
メモリカードは、装置中に物理的におよび動作可能に係合し、装置に物理的におよび動作可能に係合し、装置の内蔵プロセッサに動作可能に接続するように構成されてもよい。動作可能な接続は、通常のメモリカードと同じ方法であり、内蔵プロセッサは、メモリカードを通常のメモリカードとして見る。デジタルデータは、画像データ、オーディオデータ、画像およびオーディオデータ、ビデオデータ、ならびに、オーディオおよびビデオデータであってもよい。第１のインデックス画像ファイルが、メモリカードから装置に送られてもよい。第１のインデックス画像ファイルは、複数の第１のメニューアイテムを含み、第１のメニューアイテムのそれぞれは画像を含んでもよい。装置の制御を使用し、第１のメニューアイテムから１つのメニューアイテムを選択してもよい。選択された１つのメニューアイテムは、内蔵プロセッサが、デジタルデータを変換するために使用されるか否かを決定する。装置の制御は、装置が予め規定されているモードであるときのみ、中央プロセッサを制御するために使用することが可能であってもよい。第１のインデックス画像ファイルは、装置のスクリーン上に表示されてもよい。制御が、第１のメニューアイテムのうちの１つのメニューアイテムを選択するために使用されるとき、内蔵プロセッサは、中央プロセッサに命令を送ってもよい。命令は、メニューアイテムのうちの１つの識別子を含んでもよい。装置が、予め定められているモードであり、１つのメニューアイテムが、デジタルデータの変換に関連するときに、中央プロセッサは、命令を“選択”として扱ってもよい。命令は、“削除”であってもよい。メモリカードから装置に第２のインデックス画像ファイルを送ることをさらに含んでもよい。第２のインデックス画像は、第２のメニューリストを含んでもよい。第２のメニューリストのうちのそれぞれのアイテムもまた、別個の画像であり、それ自体の識別子を有していてもよい。第２のメニューリストは、画像からテキスト、１つのフォーマットから別のフォーマット、ｊｐｇからｐｄｆ、ｐｄｆからｊｐｇ、１つの解像度から別の解像度への画像、高解像度画像から標準鮮明度のＶＧＡ解像度、セキュリティのための画像からテキスト、および、認証のための画像からテキスト、を含んでもよい。
【００１２】
第２のメニューリストのメンバーが選択されるとき、関連する変換がアクティブ化されて、変換されることになるファイルを決定するさらなる問い合わせが発生される。いったん関連するファイルが選択されると、関連するファイルが抽出および変換される。デジタルデータは、適切な筆記面に書かれている少なくとも１つのアイテムの画像を含んでもよい。メモリカードは、画像データをテキストに変換してもよい。テキストは、装置およびメモリカードのうちの少なくとも１つの、認証およびセキュリティのうちの少なくとも１つのために、処理されて、予めロードされて記憶されている少なくとも１つのアイテムと比較されてもよい。
【００１３】
動作可能な係合は、直接的または間接的であってもよい。動作可能な係合が、間接的であるとき、メモリカードは、メモリカードユニットと、メモリカードユニットをそこで受け取るように構成されているアダプタとを備えていてもよい。アダプタは、装置に動作可能に係合するようにさらに構成されていてもよい。アダプタは、少なくとも１つの機能コンポーネントと、メモリカードの機能性とを備えていてもよい。少なくとも１つの機能コンポーネントは、中央プロセッサとワイヤレストランシーバモジュールとのうちの少なくとも１つを備えていてもよい。
【図面の簡単な説明】
【００１４】
本発明が完全に理解され、容易に実用的な効果をもたらすために、これから、限定されない例により、例示的に過ぎない実施形態を説明する。説明は、添付している説明図を参照している。
【００１５】
図面において：  
【図１】図１は、ホスト装置により取り込まれた画像データを変換できるようにする、ホスト装置に接続可能なメモリカードの例示的なシステムの概略図である。
【図２】図２は、図１の例示的なシステムを図示しているブロックダイヤグラムである。
【図３】図３は、図１のメモリカードの図示である。
【図４】図４は、図１のホストデバイスのプロセッサの図示である。
【図５】図５は、図１から４の例示的な実施形態の動作に対するフローチャートである。
【図６】図６は、例示的な実施形態の使用の図示である。
【図７】図７は、アダプタを使用する、間接的で動作可能な係合である。
【図８】図８は、図７の例示的なアダプタのブロックダイヤグラムである。
【例示的な実施形態の詳細な説明】
【００１６】
例示的な実施形態は、メモリカードが、例えば、デジタルカメラのような、キーボードまたはキーパッドを有していない装置に動作可能に係合するときに特に、メモリカードを使用してデータを変換する方法である。動作可能な係合は、直接的または間接的であってもよい。変換は、これらには限定されないが、
画像からテキスト、
例えば、ｊｐｇからｐｄｆまたはｐｄｆからｊｐｇのような、１つのフォーマットから別のフォーマット、
ＹｏｕＴｕｂｅのようなウェブサイトへのアップローディングに対する、高解像度画像から標準鮮明度のＶＧＡ解像度のような、１つの解像度から別の解像度への画像
等を含む任意の特性であってもよい。
【００１７】
画像のテキストへの変換は、認証および／またはセキュリティのために使用されてもよい。
【００１８】
図１から５で示されているように、直接的で動作可能な係合に対して、通常の方法でメモリカード２００を挿入または取り外すことが可能なスロット１０２を有するデジタルカメラ１００がある。
【００１９】
図３には、メモリカード２００が示されており、メモリカード２００は、我々の先の出願のうちの１つ以上にしたがっていてもよく、我々の先の出願にしたがったワイヤレストランシービング能力を有していてもよい。
【００２０】
メモリカード２００は、中央プロセッサ２０２と、中央プロセッサ２０２に動作可能に接続されるワイヤレストランシーバモジュール２０４と、中央プロセッサ２０２に動作可能に接続される記憶モジュール２０６とを備えている。中央プロセッサ２０２は、カードインターフェース２０８とともに、ワイヤレスインターフェース２１０を備える。ワイヤレストランシーバモジュール２０４は、アンテナ２１２も備える。ＣＰＵ２０２は、ワイヤレストランシーバモジュール２０４がデータを送信または受信しているときに特に、データをバッファリングすることが可能なバッファ２１４を備える。さらに、ＣＰＵは、例えば、デジタルカメラ１００により取り込まれた、または、そうでなければ、デジタルカメラ１００により受信された画像を変換するような、データを変換する変換モジュール２１６を備える。
【００２１】
デジタルカメラ１００は、スロット１０２中に挿入されたときにメモリカード２００とインターフェースするカードインターフェース１０６を持つ内蔵プロセッサ１０４を備える。内蔵プロセッサ１０４はまた、カメラ１００のディスプレイスクリーン１１０を制御するディスプレイインターフェース１０８を備える。さらに、内蔵プロセッサ１０４は、カメラ１００の動作を制御するために使用されるのにカメラ制御ボタンおよびその他のもの１１４をイネーブルする制御インターフェース１１２を備える。内蔵プロセッサ１０４は、カメラ１００の外部にデジタルデータを独立的にエクスポートする能力がない。独立的にエクスポートすることは、プロセッサ１０４が、カメラからコンピュータへのデータのエクスポートを可能にする関連する動作可能なソフトウェアを備えるコンピュータのようなインテリジェントホストに、カメラ１００を動作可能に接続させる必要があり、エクスポートすることは、コンピュータの制御の下にあることを意味する。カメラ１００の通常の動作は、内蔵プロセッサ１０４の制御の下にある。
【００２２】
内蔵プロセッサ１０４は、カメラ１００の外部からデジタルデータを独立的にインポートする能力もない。独立的にインポートすることは、プロセッサ１０４が、コンピュータからカメラへのデータのエクスポート（すなわち、カメラによるコンピュータからのデータのインポート）を可能にする関連する動作可能なソフトウェアを備えるコンピュータのようなインテリジェントホストに、カメラ１００を動作可能に接続させる必要があり、エクスポートすること／インポートすることは、コンピュータの制御の下にあることを意味する。
【００２３】
カードインターフェース２０８のために、メモリカード２００がカメラ１００のスロット中に係合するときはいつでも（５００）、カードインターフェース１０６は、メモリカード２００を通常のメモリカードとして見て、内蔵プロセッサ１０４からメモリカード２００に画像および／またはオーディオのデータを転送するために、通常の方法で、メモリカード２００とインターフェースする（５０１）。カード２００が、カメラ１００により認識されるカテゴリではない場合に、これは、通常の方法でエラーメッセージを表示して、処理が終了する（５０２）。
【００２４】
いったん内蔵プロセッサ１０４とカード２００との間の初期の接続が終わると、例えば、“ビュー(view)”（あるいは、例えば“再生”、“表示”、もしくは“データを変換”のようなその同等物）のような予め定められているモードにカメラ制御が設定されるとき（５０３）、内蔵プロセッサ１０４は、通常の動作にしたがって、カード２００から、ディスプレイ１１０上に表示するための第１の画像ファイルをダウンロードする。中央プロセッサ２０２は、その後、ディスプレイインターフェース１０８に、第１のメニューを含むインデックス画像ファイルを送り（５０４）、表示されたメニューを制御するために、制御１１４のナビゲーション制御を通常の方法で使用することが可能である。第１のメニューは、カメラ１００の将来のパフォーマンスを決定する一連の第１のアイテムを含むだろう。第１のメニューのアイテムのそれぞれは、インデックス画像ファイル内の別個の画像である。第１のメニューアイテムは、例えば：  
１．データを転送  
２．ワイヤレス検出  
３．画像を見る  
４．データを変換  
を含んでもよい。
【００２５】
（５０３）において、カメラ１００が予め定められているモードに−すなわち、“ビュー”またはその同等物に−設定されていない場合に、メモリカード２００および内蔵プロセッサ１０４は、内蔵プロセッサ１０４の動作の下で、通常の知られている方法（５０５）で動作する。
【００２６】
カメラ１００が予め定められているモードに設定されている場合には、表示されたアイテムの１つを選択しなければならない（５０６）。メニュー中の各アイテムは、別個の画像であり、メニューリスト中の１つのアイテムを選択することは、別個のアイテムを選択することである。それゆえ、使用される制御１１４は、プロセッサ１０４が中央プロセッサ２０２に命令を送ることができるようなものでなければならない。通常、ビューモードのときには、２つのそのような命令−“次”（次の画像を送る）および“削除”（この画像を削除）がある。後続の動作に対して“次”が必要とされるとき、“削除”機能を使用することができる。しかしながら、カメラ１００が“ビュー”モードであるときに、かつ、上記で示した第１のメニューアイテムから、“データを転送”、“ワイヤレス検出”、または、データを変換が選択されている場合に、中央プロセッサ２０２は“削除”を“選択”として解釈する。“第１の画像を送る”という命令がプロセッサ１０４により送られて、メモリカードの中央プロセッサ２０２により受信されるとき（５０４）、このような命令が受信されるのはこの時のみであるので、中央プロセッサ２０２は、カメラ１００が“ビュー”モードであることを認識する。
【００２７】
第１のメニューアイテムのそれぞれは、別個の画像であることから、“削除”を使用することは、プロセッサ１０４から中央プロセッサ２０２に送られる命令のみでなく、命令は、中央プロセッサ２０２がいずれの画像が削除されることになるかを知ることを可能にする画像の識別子を含む。
【００２８】
中央処理２０２は命令を受信し、予め定められているモードが選択されていること、かつ、選択された画像が、画像インデックスファイルからの（１）、（２）、または（４）であることを確認した後に、中央プロセッサ２０２は、“削除”命令を“選択”として扱う。
【００２９】
中央プロセッサ２０２は、その後、第１のメニューアイテム１、第１のメニューアイテム２、または第１のメニューアイテム４が選択されたか否かに依存して、必要なアクションをとる。
【００３０】
選択された第１のメニューアイテムがデータの変換用のアイテム４であるか否かを決定する問い合わせが発生される（５０９）。データの変換用のアイテム４ではない場合には、それは、アイテム１、２、または３であるはずである。制御１１４を使用して、通常の方法でアイテム１または２が選択された場合に、方法は、我々の先の出願の１つの方法（５１０）にしたがって進む。制御１１４を使用して、通常の方法でアイテム３が選択された場合に（５０７）、中央プロセッサ２０２は、通常の方法で命令を扱い、記憶モジュール２０６から第１の画像ファイルを送り（５０８）、カメラ１００およびメモリカード２００は、通常の方法で動作し続ける（５０５）。（５０９）において、選択された第１のメニューアイテムが変換用である場合に、それは、アイテム１またはアイテム２であるだろう。そして、アイテム１またはアイテム２が選択されたか否かを決定する第２の問い合わせが発生される（５１０）。
【００３１】
５１０において、アイテム４が選択された場合に、中央プロセッサ２０２は、変換モジュール２１６をアクティブ化し（５１１）、第２のインデックス画像ファイルが、中央プロセッサ２０２からディスプレイ１１０にダウンロードされる（５１２）。第２のインデックス画像ファイルは、第２のメニューリストを含む（５１３）。第２のインデックス画像ファイルは、第１のインデックス画像ファイルと同じものであってもよく、または、異なるものであってもよい。第２のメニューリストのそれぞれはまた、別個の画像であり、それ自体の識別子を持つ。第２のメニューリストは、第１のメニューリストと同じものであってもよく、または、異なるものであってもよい。第２のメニューリストは、例えば：
１．データを転送  
２．ワイヤレス検出  
３．画像を見る  
４．画像を変換  
のようなアイテムを含んでもよい。  
代替的には、第２のメニューリストは、  
１．ＶＧＡに変換  
２．ｊｐｇからｐｄｆに変換  
３．画像からテキストに変換  
４．認証  
のうちの１つ以上であってもよい。
【００３２】
（５１４）において、第２のメニューリストからいずれのアイテムが選択されても、中央プロセッサは、（５１５）において、いずれが選択されたかを問い合わせる。関連する変換がアクティブ化され、変換されることになるファイルを決定するさらなる問い合わせが発生される（５１６）。いったん選択されると、関連するファイルは、記憶モジュール２０６から抽出されて（５１７）、変換される（５１８）。そして、処理が終了する（５１９）。変換されたファイルは、元々のファイルに加えて、または、元々のファイルの代わりに、記憶モジュールに記憶されてもよい。
【００３３】
実際の変換は、例えば、何らかの知られている光学式文字認識アプリケーションのような、何らかの知られている、適切な変換アプリケーションによるものであってもよい。
【００３４】
図６では、認証またはセキュリティ目的に対するこの方法の使用が示されている。これにより、認証されたユーザだけがデジタルカメラ１００を使用できるようになる。紙のシート、または、他の適切な筆記面６０１上には、少なくとも１つの、好ましくは２つのアイテム６０２が書かれている。図示されているように、これらは、ＳＳＩＤ：ＴＤａｔａ、ならびに、パスワードまたはコード：１２３４５６である。そして、デジタルカメラ１００は、書かれているアイテム６０２の画像を撮るために使用される。上述したような方法を使用して、メモリカード２００は、画像データをテキストに変換する。これは、その後、中央プロセッサ２０４および／またはプロセッサ１０４により処理することができ、再ロードされ記憶された、安全ＳＳＩＤ、および、パスワードまたはパスコードと比較できる。同意されている場合に、カメラ１００は、通常の方法で動作させることができ、および／または、メモリカード２００も、通常の方法で動作させることができる。この方法では、デジタルカメラ１００および／またはメモリカード２００の使用に対して、認証が必要とされる。いったん認証されると、元々の画像ファイルおよび変換されたテキストファイルは、必要とされる場合に、または、望まれる場合に、自動的に削除されてもよい。
【００３５】
図７および８は、間接的で動作可能な係合の例示的な形態を図示している。方法論は、図１から６に対するものと同じである。ここで、メモリカード２００は、メモリカードユニット２００ａとアダプタ２００ｂとを備える。アダプタ２００ｂは、それとの動作可能な係合のために、メモリカードユニット２００ａをそこで受け取って、上述したように、スロット１０２を介して、デジタルカメラ１００に動作可能に係合するように構成されている。アダプタ２００ｂは、知られている構造、フォームファクタ、および動作であってもよく、メモリカードユニット２００ａとの動作可能な係合のための、第１のインターフェース２００ｃと、スロット１０２を介した、デジタルカメラ１００との動作可能な係合のための、第２のインターフェース２００ｄとを有する。すべての関連する機能性は、メモリカードユニット２００ａ中にある。
【００３６】
代替的に、図８で示されているように、メモリカード２００の、少なくとも１つの機能コンポーネントおよび／または機能性、望ましくは、２つの機能コンポーネントおよび／または機能性は、アダプタ２００ｂ中にある。示されているように、ワイヤレストランシーバモジュール２０４および中央プロセッサ２０２と、それらの機能性のすべてとは、アダプタ２００ｂ中にあり、メモリカードユニット２００ａ中にはない。しかしながら、発明は、ワイヤレストランシーバモジュール２０４と中央プロセッサ２０２との双方を、メモリカードユニット２００ａ中ではなく、アダプタ２００ｂ中に有することに限定されない。それらのいずれか、または、それらの双方が、アダプタ２００ｂ中にあってもよい。それらのうちの１つのみがアダプタ２００ｂ中にある場合に、他のものは、メモリカードユニット２００ａ中にあるだろう。この方法では、メモリカードユニット２００ａは、関連する標準的な構造および動作のものであってもよい。
【００３７】
これは適応性を有し、例えば、メモリカードユニット２００ａは、マイクロＳＤカードであり、スロット１０２は、標準的なフォームファクタのＳＤカードを受け取ることになる。そして、アダプタ２００ｂは、標準的なＳＤカードと同じフォームファクタのものだろう。
【００３８】
上記の説明は、例示的な実施形態を記載しているが、本発明から逸脱することなく、設計、構造、および／または動作の詳細における多くのバリエーションを得ることができることを、当業者は理解するだろう。
以下に、本願出願時の特許請求の範囲に記載された発明を付記する。
[１]制御ボタンを有するが、キーボートまたはキーパッドを有さない装置に動作可能に係合するメモリカードを使用して、デジタルデータを変換する方法において、
前記メモリカードは、中央プロセッサと、変換モジュールと、記憶モジュールとを備え、
前記方法は、
前記装置を予め定められているモードにすることと、
前記メモリカード中の変換モジュールをアクティブ化することと、
前記メモリカード中に記憶された少なくとも１つのファイルを選択することと、
前記選択した少なくとも１つのファイルを変換することとを含む方法。
[２]前記装置は、デジタルカメラである前記[１]記載の方法。
[３]前記変換は、
画像からテキストと、
１つのフォーマットから別のフォーマットと、
ｊｐｇからｐｄｆと、
ｐｄｆからｊｐｇと、
１つの解像度から別の解像度への画像と、
高解像度画像から標準鮮明度のＶＧＡ解像度と、
セキュリティのための画像からテキストと、
認証のための画像からテキストと、からなるグループから選択される前記[１]または[２]記載の方法。
[４]前記メモリカードは、前記装置中に物理的におよび動作可能に係合し、前記装置に物理的におよび動作可能に係合し、前記装置の内蔵プロセッサに動作可能に接続するように構成され、前記動作可能な接続は、通常のメモリカードと同じ方法であり、前記内蔵プロセッサは、前記メモリカードを通常のメモリカードとして見る前記[１]ないし[３]のいずれか１つに記載の方法。
[５]前記デジタルデータは、画像データ、オーディオデータ、画像およびオーディオデータ、ビデオデータ、ならびに、オーディオおよびビデオデータからなるグループから選択される前記[１]ないし[４]のいずれか１つに記載の方法。
[６]第１のインデックス画像ファイルが、前記メモリカードから前記装置に送られ、前記第１のインデックス画像ファイルは、複数の第１のメニューアイテムを含み、前記第１のメニューアイテムのそれぞれは画像を含み、
前記装置の制御ボタンを使用して、前記第１のメニューアイテムから１つのメニューアイテムを選択し、
前記選択された１つのメニューアイテムは、前記内蔵プロセッサが、前記デジタルデータを変換するために使用されるか否かを決定する前記[１]ないし[５]のいずれか１つに記載の方法。
[７]前記装置の前記制御ボタンは、前記装置が予め規定されているモードであるときのみ、前記中央プロセッサを制御するために使用することが可能である前記[１]ないし[６]のいずれか１つに記載の方法。
[８]前記第１のインデックス画像ファイルは、前記装置のスクリーン上に表示される前記[６]または[７]記載の方法。
[９]前記制御ボタンが、前記第１のメニューアイテムのうちの前記１つのメニューアイテムを選択するために使用されるとき、前記内蔵プロセッサは、前記中央プロセッサに命令を送り、前記命令は、前記メニューアイテムのうちの前記１つの識別子を含む前記[６]ないし[８]のいずれか１つに記載の方法。
[１０]前記装置が、前記予め定められているモードであり、前記１つのメニューアイテムが、前記デジタルデータの変換に関連するときに、前記中央プロセッサは、前記命令を“選択”として扱う前記[９]記載の方法。
[１１]前記命令は、“削除”である前記[１０]記載の方法。
[１２]前記メモリカードから前記装置に第２のインデックス画像ファイルを送ることをさらに含み、
前記第２のインデックス画像は、第２のメニューリストを含む前記[６]ないし[１１]のいずれか１つに記載の方法。
[１３]前記第２のメニューリストのうちのそれぞれのアイテムもまた、別個の画像であり、それ自体の識別子を有する前記[１２]記載の方法。
[１４]前記第２のメニューリストは、
画像からテキストと、
１つのフォーマットから別のフォーマットと、
ｊｐｇからｐｄｆと、
ｐｄｆからｊｐｇと、
１つの解像度から別の解像度への画像と、
高解像度画像から標準鮮明度のＶＧＡ解像度と、
セキュリティのための画像からテキストと、
認証のための画像からテキストと、を含む前記[１３]記載の方法。
[１５]前記第２のメニューリストのメンバーが選択されるとき、関連する変換がアクティブ化されて、変換されることになるファイルを決定するさらなる問い合わせが発生され、いったん前記関連するファイルが選択されると、前記関連するファイルが抽出および変換される前記[１４]記載の方法。
[１６]前記デジタルデータは、適切な筆記面に書かれている少なくとも１つのアイテムの画像を含み、前記メモリカードは、前記画像データをテキストに変換し、前記テキストは、前記装置および前記メモリカードのうちの少なくとも１つの、認証およびセキュリティのうちの少なくとも１つのために、処理されて、予めロードされて記憶されている少なくとも１つのアイテムと比較される前記[６]ないし[１５]のいずれか１つに記載の方法。
[１７]前記動作可能な係合は、直接的または間接的である前記[１]ないし[１６]のいずれか１つに記載の方法。
[１８]前記動作可能な係合は、間接的であり、前記メモリカードは、メモリカードユニットと、前記メモリカードユニットをそこで受け取るように構成されているアダプタとを備え、前記アダプタは、前記装置に動作可能に係合するようにさらに構成されている前記[１７]記載の方法。
[１９]前記アダプタは、少なくとも１つの機能コンポーネントと、前記メモリカードの機能性とを備える前記[１８]記載の方法。
[２０]前記少なくとも１つの機能コンポーネントは、前記中央プロセッサとワイヤレストランシーバモジュールとのうちの少なくとも１つを備える前記[１９]記載の方法。
[２１]制御ボタンを有するが、キーボートまたはキーパッドを有さない装置に動作可能に係合するときに、デジタルデータを変換するメモリカードにおいて、
前記メモリカードは、中央プロセッサと、変換モジュールと、記憶モジュールとを具備し、前記変換モジュールは、前記装置が予め定められているモードであるときに、前記記憶モジュール中に記憶されている少なくとも１つのファイルを変換するように構成されているメモリカード。
[２２]前記メモリカードは、メモリカードユニットと、前記メモリカードユニットをそこで受け取るように構成されているアダプタとをさらに具備し、前記アダプタは、前記装置に動作可能に係合するようにさらに構成されている前記[２１]記載のメモリカード。
[２３]前記アダプタは、少なくとも１つの機能コンポーネントと、前記メモリカードの機能性とを備える前記[２２]記載のメモリカード。
[２４]前記少なくとも１つの機能コンポーネントは、前記中央プロセッサと、ワイヤレストランシーバモジュールとのうちの少なくとも１つを備える前記[２３]記載のメモリカード。
[２５]メモリカードユニットとの動作可能な係合のために、そこでメモリカードユニット受け取るように構成されているメモリカードアダプタにおいて、
前記メモリカードアダプタは、前記中央プロセッサとワイヤレストランシーバモジュールとのうちの少なくとも１つを具備するメモリカードアダプタ。
[２６]前記アダプタは、制御ボタンを有するが、キーボートまたはキーパッドを有さない装置に動作可能に係合するように構成されている前記[２５]記載のメモリカードアダプタ。
【図１】
0005539534.tif 000002
【図２】
0005539534.tif 000003
【図３】
0005539534.tif 000004
【図４】
0005539534.tif 000005
【図５】
0005539534.tif 000006
【図６】
0005539534.tif 000007
【図７】
0005539534.tif 000008
【図８】
0005539534.tif 000009